(57)【特許請求の範囲】
【請求項１】
紫外線ランプ（１１）と該紫外線ランプ（１１）の上半球側を覆うセード（１２）とを含む灯体（１０）を備え、前記セード（１２）に該セード（１２）から迫り出すように装着するフィルタ（２０）を備え、前記灯体（１０）および前記フィルタ（２０）を机上面上に保持するスタンド（３０）を備え、前記机上面上の蛍光表示紙面（１００）を前記フィルタ（２０）を介して該フィルタ（２０）よりも高い位置から観察する紫外線スタンドにおいて、
前記セード（１２）の一部に、該セード内の紫外線（Ｌ１）を受けて励起しそれによる可視光線（Ｌ５）をセード外へ出力する蛍光表示部（１７）を配置したことを特徴とする紫外線スタンド。
【発明の詳細な説明】
【０００１】
【発明の属する技術分野】
本発明は机上面上の蛍光表示紙面を適宜のフィルタを介して観察する用途の紫外線スタンドに関するものである。
【０００２】
【従来の技術】
通常の電気スタンドは机上面を可視光線で照明する用途の可視光線スタンドである。その光源を紫外線ランプに代えれば、紫外線スタンドとなる。紫外線スタンドの主たる用途は机上面上の蛍光表示紙面を紫外線で照射し、観察することである。
紫外線スタンドは紫外線ランプと該紫外線ランプの上半球側を覆うセードとを含む灯体を備える。さらに前記セードに該セードから迫り出すようにフィルタを装着することが望まし。フィルタの役割は蛍光表示紙面を読み取り易くするための明視フィルタである。別の役割は蛍光表示紙面から反射して戻る紫外線を軽減することである。
人は前記フィルタを介して該フィルタよりも高い位置から蛍光表示紙面を観察する。それは鳥瞰形使用態様である。紫外線スタンドは鳥瞰形使用態様に好適な背丈の低い形態である。姿勢をかがめ目を低い位置に置けば紫外線ランプを直視できるが、そうすると紫外線を受けるので好ましくない。
【０００３】
【発明が解決しようとする課題】
上記構造の紫外線スタンドを試作して調べて見ると、その紫外線ランプが点灯しているのかどうか、わかりに難い。これは可視光線スタンドではあり得ない問題である。紫外線ランプはいわゆるブラックライトであって、若干の可視光線も含むが、机上面を見ただけでは外光との区別がつかず、紫外線ランプの点灯有無が判然としない。
本発明の目的は紫外線ランプの点灯有無を容易に確認できるようにすることである。それによって、蛍光表示紙面の観察が可能なスタンバイ状態にあることを確認できるようにすることである。また、紫外線ランプの消し忘れを防止することである。
【０００４】
【課題を解決するための手段】
本発明は、紫外線ランプと該紫外線ランプの上半球側を覆うセードとを含む灯体を備え、前記セードに該セードから迫り出すように装着するフィルタを備え、前記灯体および前記フィルタを机上面上に保持するスタンドを備え、前記机上面上の蛍光表示紙面を前記フィルタを介して該フィルタよりも高い位置から観察する紫外線スタンドを前提とする。
本発明においては、前記セードの一部に、該セード内の紫外線を受けて励起しそれによる可視光線をセード外へ出力する蛍光表示部を配置する。紫外線ランプが点灯している場合は、前記可視光線が出力するので、高い位置からでも点灯有無を簡単に判別することができる。
【０００５】
【発明の実施の形態】
図１〜図３を利用して本発明の実施形態について説明する。この説明に前記同様の用語を用い、重複する説明の一部を適宜に割愛する。図示のスタンドは、紫外線ランプ１１と該紫外線ランプ１１の上半球側を覆うセード１２とを含む灯体１０を備える。セード１２に該セード１２から迫り出すように装着するフィルタ２０を備える。灯体１０およびフィルタ２０を机上面上に保持するスタンド３０を備える。これは、机上面上の蛍光表示紙面１００をフィルタ２０を介して該フィルタ２０よりも高い位置から観察する紫外線スタンドである。
本発明においては、セード１２の一部に、該セード内の紫外線Ｌ１を受けて励起しそれによる可視光線Ｌ５をセード外へ出力する蛍光表示部１７を配置する。図２・図３に示すように、蛍光表示部１７はセード１２に形成した透光窓１８とその箇所に配置した蛍光表示板１９を含む。蛍光表示板１９の図示アルファベット（ＩＮＶＥＲＴＥＲ）は蛍光塗料で描かれたものである。そのアルファベットは透光窓１８を介して入射する紫外線Ｌ１を受けて発光する。それによる可視光線Ｌ５はセード外の目１０１に届く。それは点灯中であることのサインとなる。
細部の点について補足する。紫外線ランプ１１はたとえば出力６Ｗのブラックライトである。セード１２はその内面側に配置した金属製の反射板１３を含む。１４は反射板１３の一部に形成された透光窓であり、前記紫外線Ｌ１を透過する。１５はセード１２の背面側（図１の右側）に設けた部品収納部である。セード１２・部品収納部１５は合成樹脂材料で一体に成型される。部品収納部１５は紫外線ランプ１１を点灯させるための図外の回路部品を収納する。電源プラグ４１・電源スイッチ４２を含む電源コード４０は部品収納部１５から延在する。フィルタ２０は蝶着構造であり、その傾斜は調整可能である。スタンド３０は一対の下脚部３１と上脚部３５を含む。両者を繋ぐ連結ねじ３３を外し、上脚部３５下端の爪３４を下脚部３１側の任意の受孔３２へ差し替えることによって、スタンド３０全体の高さを段階的に調整する。３９は上脚部３５上端に設けた調整ねじであり、これを緩めて上脚部３５に対する灯体１０の傾きを調整する。
図１に示すように、紫外線ランプ１１による紫外線Ｌ２のほとんどは下向きに投射し、机上面上の蛍光表示紙面１００に入射する。蛍光表示紙面１００は蛍光塗料で描かれた情報表示部９９を含む。情報表示部９９は紫外線Ｌ２を受けたときに励起して可視光線Ｌ６を形成する。情報表示部９９はたとえばバーコードであり、紫外線Ｌ２によらなければ全くあるいは殆ど読み取ることのできない情報である。情報表示部９９から出る可視光線Ｌ６の一部はフィルタ２０を介してさらに上方へ進み、目１０１に入る。フィルタ２０の役割は情報表示部９９輪郭の対比を強めて明視を可能とすることである。また紫外線Ｌ２の反射成分が目１０１へ戻るのを制限することである。したがって、図示のフィルタ２０は明視用兼紫外線緩和用のフィルタである。
【０００６】
【発明の効果】
本発明は、セードの一部に、該セード内の紫外線を受けて励起しそれによる可視光線をセード外へ出力する蛍光表示部を配置したことを主たる特徴事項とするものである。これによれば、紫外線ランプの点灯有無を容易に確認でき、それによって蛍光表示紙面の観察が可能なスタンバイ状態にあることを容易に確認できる。このため、紫外線ランプの消し忘れを防止にも役立つ。
【図面の簡単な説明】
【図１】  本発明に係る紫外線スタンドの斜視図である。
【図２】  その一部を分解した図１同様の斜視図である。
【図３】  その灯体の要部を示す拡大断面図である。
【符号の説明】
１０  ：灯体
１１  ：紫外線ランプ
１２  ：セード
１３  ：反射板
１４  ：透光窓
１５  ：部品収納部
１７  ：蛍光表示部
１８  ：透光窓
１９  ：蛍光表示板
２０  ：フィルタ
３０  ：スタンド
３１  ：下脚部
３３  ：連結ねじ
３５  ：上脚部
３９  ：調整ねじ
９９  ：情報表示部
１００：蛍光表示紙面
１０１：目
Ｌ１  ：紫外線
Ｌ２  ：紫外線
Ｌ５  ：可視光線
Ｌ６  ：可視光線
【図１】
0004019488.tif 000002
【図２】
0004019488.tif 000003
【図３】
0004019488.tif 000004